(57)【要約】【課題】植物の育成者と擬似会話を行なって給水の必要性を告知する植物の管理補助装置を提供すること。【解決手段】制御部１１、質問情報と回答情報とを対応させて記憶する記憶部１９、植物１または植物１の栽培土壌３の水分率を検出するセンサ５、質問が入力される入力部１５、質問に対して答えを出力する出力部１７等で、植物の管理補助装置２１を構成する。制御部１１は、植物１の育成者が入力部１５に質問を入力すると、質問に応じた質問情報を記憶部１９から抽出する。そして、センサを用いて植物や栽培土壌３の水分率を検出し、所定の値以上であるか否かを判定する。その後、質問情報と、水分率の値の判定に応じて、記憶部１９から対応する回答情報を抽出し、出力部１７から出力する。【選択図】図３
2014045748.tif 000002
【特許請求の範囲】
【請求項１】
制御部と、
質問情報と回答情報とを対応させて記憶する記憶部と、
植物または前記植物を栽培する土壌の水分率を検出する検出手段と、
質問が入力される入力部と、
前記質問に対して答えを出力する出力部と、
を具備し、
前記制御部は、前記入力部からの質問に応じた前記質問情報を前記記憶部から抽出し、前記質問情報と、前記検出手段で検出された前記水分率の値に応じて、前記記憶部から対応する前記回答情報を抽出し、前記出力部から出力することを特徴とする植物の管理補助装置。
【請求項２】
前記検出手段は２本の電極であり、前記２本の電極を用いて取得した電気抵抗または静電容量の情報から、前記水分率を検出することを特徴とする請求項１記載の植物の管理補助装置。
【請求項３】
前記入力部がマイクであり、前記出力部がスピーカであることを特徴とする請求項１または請求項２に記載の植物の管理補助装置。
【請求項４】
他の検出手段として、前記植物または前記植物を栽培する土壌の温度を検出する温度センサ、時刻を取得するタイマ、前記植物の付近の明るさを感知する照度センサのうち少なくとも１つをさらに具備し、
前記制御部は、前記入力部からの質問に応じた前記質問情報を前記記憶部から抽出し、前記質問情報と、前記他の検出手段を用いて検出された情報に応じて、前記記憶部から対応する前記回答情報を抽出し、前記出力部から出力することを特徴とする請求項１から請求項３のいずれかに記載の植物の管理補助装置。
【発明の詳細な説明】
【技術分野】
【０００１】
本発明は、植物の管理補助装置に関する。
【背景技術】
【０００２】
植物を育成する際には、過少給水とともに給水過多も害となる場合があり、適切な時期に適量の給水を行う必要がある。近年、植物に適量の給水を行なうための給水装置として、水分センサで測定した土壌中の水分量に基づいて散水を行なうもの（例えば、特許文献１参照）や、照度センサの照度検出結果に応じて給水を制御するものが用いられてきた（例えば、特許文献２参照）。
【０００３】
また、ゲーム機等においては、遊戯を行なう者とゲーム中のキャラクタとの間で擬似会話を行なうための装置が用いられてきた（例えば、特許文献３参照）。
【先行技術文献】
【特許文献】
【０００４】
【特許文献１】特開２００８−０３５７０５号公報
【特許文献２】特開２０１０−１２４７６６号
【特許文献３】特開２００４−２９０２６９号
【発明の概要】
【発明が解決しようとする課題】
【０００５】
しかしながら、従来の植物への給水装置は、人の手を介することなく、自動で植物への給水を行なうものであった。そのため、生活に潤いをもたらす目的で植物を育成する人にとって好適なものではなかった。
【課題を解決するための手段】
【０００６】
本発明は、前述した問題点に鑑みてなされたもので、その目的とすることは、植物の育成者と擬似会話を行なって給水の必要性を告知する植物の管理補助装置を提供することである。
【０００７】
前述した目的を達成するために、本発明は、制御部と、質問情報と回答情報とを対応させて記憶する記憶部と、植物や前記植物を栽培する土壌の水分率を検出する検出手段と、質問が入力される入力部と、前記質問に対して答えを出力する出力部と、を具備し、前記制御部は、前記入力部からの質問に応じた前記質問情報を前記記憶部から抽出し、前記質問情報と、前記検出部で検出された前記水分率の値に応じて、前記記憶部から対応する前記回答情報を抽出し、前記出力部から出力することを特徴とする植物の管理補助装置である。
【０００８】
前記検出手段は２本の電極とするのが望ましい。そして、前記２本の電極を用いて取得した電気抵抗または静電容量の情報から、前記水分率を検出する。
また、例えば、前記入力部はマイクであり、前記出力部はスピーカである。
【０００９】
本発明では、他の検出手段として、前記植物または前記植物を栽培する土壌の温度を検出する温度センサ、時刻を取得するタイマ、前記植物の付近の明るさを感知する照度センサのうち少なくとも１つをさらに具備してもよい。この場合、前記制御部は、前記入力部からの質問に応じた前記質問情報を前記記憶部から抽出し、前記質問情報と、前記他の検出手段を用いて検出された情報に応じて、前記記憶部から対応する前記回答情報を抽出し、前記出力部から出力する。
【００１０】
本発明の植物の管理補助装置を植物に設置することにより、植物の育成者が入力部に質問を入力すると、管理補助装置が入力された質問を認識し、検出手段により植物や栽培土壌の水分率を検出する。そして、質問の内容と検出された水分率とに応じて、出力部から適切な回答を出力する。これにより、植物の育成者と植物との間で擬似会話を行い、給水の必要性を植物側から植物の育成者へ音声で告知することができる。
【発明の効果】
【００１１】
本発明によれば、植物の育成者と擬似会話を行なって給水の必要性を告知する植物の管理補助装置を提供できる。
【図面の簡単な説明】
【００１２】
【図１】植物１の管理補助装置２１の概要図
【図２】植物の管理補助の手順を示すフローチャート
【図３】質問情報と回答情報との対応を示す表
【発明を実施するための形態】
【００１３】
以下、図面に基づいて、本発明の実施の形態について詳細に説明する。図１は、植物の管理補助装置２１の概要図である。図２は、植物の管理補助の手順を示すフローチャートである。図３は、質問情報と回答情報との対応を示す表である。
【００１４】
図１に示すように、植物の管理補助装置２１は、センサ５、信号処理部９、温度センサ７、タイマ１３、制御部１１、記憶部１９、入力部１５、出力部１７等が、有線・無線により接続されて構成される。
【００１５】
センサ５は、植物１や植物１を栽培する栽培土壌３の水分率を検出する検出手段である。センサ５は、例えば２本の電極であり、一方のセンサ５ａが植物１の一点に設置され、他方のセンサ５ｂが栽培土壌３の一点に設置される。
【００１６】
信号処理部９は、センサ５ａ、センサ５ｂと制御部１１との間に配置される。センサ５ａ、センサ５ｂで取得されたデータは、信号処理部９を介して制御部１１に送信される。
【００１７】
温度センサ７は、植物１や栽培土壌３の温度を検出する検出手段である。温度センサ７は、例えば栽培土壌３に設置され、栽培土壌３の温度を検出する。
タイマ１３は、時刻を検出する検出手段である。
【００１８】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部１９等に格納されるプログラムをＲＡＭ上のワークメモリ領域に呼び出して実行し、制御部１１に接続された各部を駆動制御して、図２に示す各種手順を実現する。
【００１９】
記憶部１９は、図３に示すような質問情報と回答情報とを対応させて記憶する。また、制御部１１が実行するプログラム、プログラム実行に必要なデータ、ＯＳ等が格納される。
【００２０】
入力部１５は、質問が入力される部分であり、例えば、音声データを取得するマイクが用いられる。
出力部１７は、質問に対して答えを出力する部分であり、例えば、合成された音声を出力するスピーカが用いられる。
【００２１】
次に、図２を用いて、植物の管理補助装置２１における植物の管理補助の流れについて説明する。
【００２２】
図３に示すように、植物の育成者が入力部１５に質問を入力すると（ステップ１０１）、制御部１１が水分に関する質問か否かを判定する（ステップ１０２）。
【００２３】
ステップ１０１で植物の育成者が「お水要る？」と入力した場合、ステップ１０２で、制御部１１が質問内容を認識し、キーワード等から対応する質問情報を記憶部１９から抽出して、水分に関する質問であると判定する。
【００２４】
ステップ１０２で水分に関する質問であると判定した場合、制御部１１は、センサ５で取得した情報から水分率を検出し（ステップ１０３）、水分率が所定の値以上であるか否かを判定する（ステップ１０４）。
【００２５】
ステップ１０３では、センサ５ａ、センサ５ｂを用いて植物１や栽培土壌３の電気抵抗または静電容量の情報を取得する。
ステップ１０３で電気抵抗の情報を取得した場合には、ステップ１０４で、水を与えた後の電気抵抗を最小値とし、ステップ１０３で取得した電気抵抗が最小値の数倍以下であるときに、水分率が所定の値以上であると判定する。
ステップ１０３で静電容量の情報を取得した場合には、ステップ１０４で、水を与えた後の静電容量を最大値とし、ステップ１０３で取得した静電容量が最大値の数分の一以上であるときに、水分率が所定の値以上であると判定する。
【００２６】
次に、制御部１１は、質問に対応する回答を記憶部１９から抽出する（ステップ１０５）。
【００２７】
ステップ１０５では、ステップ１０２で抽出した質問情報とステップ１０４での判定に対応する回答を記憶部１９から抽出する。例えば、図３に示すように、水分率が所定の値以上である場合、「まだいらない」という回答情報を抽出する。また、水分率が所定の値未満である場合、「お水頂戴」という回答情報を抽出する。
【００２８】
その後、制御部１１は、出力部１７からステップ１０５で抽出した回答を出力する（ステップ１０６）。
【００２９】
ステップ１０６では、制御部１１が、音声を合成し、出力部１７から回答を出力する。植物の育成者は、出力部１７から出力された回答により、植物１の状態を把握する。
【００３０】
ステップ１０２で、水分に関する質問でないと判定した場合、制御部１１は、温度に関する質問か否かを判定する（ステップ１０７）。
【００３１】
ステップ１０１で植物の育成者が「暑い？」、「寒い？」との質問を入力した場合、ステップ１０７で、制御部１１が質問内容を認識し、キーワード等から対応する質問情報を記憶部１９から抽出して、温度に関する質問であると判定する。
【００３２】
ステップ１０７で温度に関する質問であると判定した場合、制御部１１は、温度センサ７で温度を取得し（ステップ１０８）、温度が所定の値以上であるか否かを判定し（ステップ１０９）、質問に対応する回答を記憶部１９から抽出する（ステップ１０５）。
【００３３】
ステップ１０８からステップ１０５では、ステップ１０２で抽出した質問情報とステップ１０９での判定に対応する回答を記憶部１９から抽出する。例えば、図３に示すように、温度が所定の値以上である場合、「暑い」という回答情報を抽出する。また、温度が所定の値未満である場合、「寒い」という回答情報を抽出する。
【００３４】
その後、制御部１１は、出力部１７からステップ１０５で抽出した回答を出力する（ステップ１０６）。ステップ１０６では、制御部１１が、音声を合成し、出力部１７から回答を出力する。植物の育成者は、出力部１７から出力された回答により、植物１の状態を把握する。
【００３５】
ステップ１０７で、温度に関する質問でないと判定した場合、制御部１１は、時刻に関する質問か否かを判定する（ステップ１１０）。
【００３６】
ステップ１０１で植物の育成者が「眠い？」、「眠くない？」との質問を入力した場合、ステップ１１０で、制御部１１が質問内容を認識し、キーワード等から対応する質問情報を記憶部１９から抽出して、時刻に関する質問であると判定する。
【００３７】
ステップ１１０で時刻に関する質問であると判定した場合、制御部１１は、タイマ１３で時刻を取得し（ステップ１１１）、時刻が所定の範囲内であるか否かを判定し（ステップ１１２）、質問に対応する回答を記憶部１９から抽出する（ステップ１０５）。
【００３８】
ステップ１１１からステップ１０５では、ステップ１０２で抽出した質問情報とステップ１１２での判定に対応する回答を記憶部１９から抽出する。例えば、図３に示すように、時刻が所定の範囲以内である場合、「眠い」という回答情報を抽出する。また、時刻が所定の範囲以内でない場合、「眠くない」という回答情報を抽出する。
【００３９】
その後、制御部１１は、出力部１７からステップ１０５で抽出した回答を出力する（ステップ１０６）。ステップ１０６では、制御部１１が、音声を合成し、出力部１７から回答を出力する。植物の育成者は、出力部１７から出力された回答により、植物１の状態を把握する。
【００４０】
なお、ステップ１０２、ステップ１０７、ステップ１１０で質問の内容が認識できなかった場合、制御部１１は、記憶部１９から「もう一度言って」などの回答情報を抽出し、出力部１７から出力する。
【００４１】
このように、植物の管理補助装置２１を植物１に設置することにより、植物１の育成者が入力部１５に給水に関する質問を入力すると、管理補助装置２１が植物１や栽培土壌３の水分率を検出し、検出された水分率に応じて出力部１７から適切な回答を出力する。また、入力部１５に温度に関する質問を入力すると、管理補助装置２１が植物１や栽培土壌３の温度を検出し、検出した温度に応じて出力部１７から適切な回答を出力する。入力部１５に時刻に関する質問を入力すると、管理補助装置２１が時刻を検出し、検出した時刻に応じて出力部１７から適切な回答を出力する。これにより、植物の育成者と植物との間で擬似会話を行い、給水の必要性やその他の植物１の状態を植物１側から育成者へ音声で告知することができる。
【００４２】
植物の管理補助装置２１では、他の検出手段として、温度センサ７、タイマ１３を設けたが、これらの検出手段は必須ではない。また、植物の管理補助装置２１では、他の検出手段として、植物の付近の明るさを感知する照度センサ、人体の接近を感知する赤外線センサ等を設けてもよい。
【００４３】
照度センサを設けた管理補助装置では、植物の育成者が「明るい？」、「暗い？」等の明るさに関する質問を入力部１５に入力すると、制御部１１が、ステップ１０２と同様にして質問内容を認識し、キーワード等から対応する質問情報を記憶部１９から抽出して、明るさに関する質問であると判定する。その後、制御部１１は、照度センサを用いて照度を検出し、図３に示すように、検出された照度が所定の範囲以上である場合には「明るい」という回答情報を、所定の範囲未満である場合には「暗い」という回答情報を記憶部１９から抽出して、出力部１７から出力する。
【００４４】
赤外線センサを設けた管理補助装置では、制御部１１は、赤外線センサにより人体の接近を検出する。制御部１１は、入力部１５への質問の入力の有無に関わらず、人体の接近を検出すると、記憶部１９からランダムに回答情報を抽出し、出力部１７から出力する。このとき、センサ５で検出された水分率や、他の検出手段で検出された情報に応じて、対応する回答情報を抽出してもよい。
【００４５】
なお、センサ５、温度センサ７、タイマ１３、照度センサ等による検出内容に対する判定基準や、質問に対する回答情報は、図３に示すものに限らない。例えば、水分に関する質問に対して、水分率が所定の範囲である場合には「少し頂戴」、所定の範囲より大きい場合には「まだ要らない」、所定の範囲より小さい場合には「たくさん頂戴」という回答情報を抽出してもよい。
【００４６】
本実施の形態では、入力部１５にマイクを、出力部１７にスピーカを用いたが、入力部１５には、キーボード、テンキー等の入力装置を用いてもよい。出力部１７には、液晶ディスプレイ等の表示装置を用いてもよい。
【００４７】
また、水分率の検出手段として、２本の電極であるセンサ５ａ、センサ５ｂを、それぞれ植物１、栽培土壌３に設置したが、２本の電極を植物１に設置してもよい。また、電極以外の検出手段を用いてもよい。
【００４８】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４９】
１………植物
３………栽培土壌
５、５ａ、５ｂ………センサ
７………温度センサ
１１………制御部
１３………タイマ
１５………入力部
１７………出力部
１９………記憶部
２１………植物の管理補助装置
【図１】
2014045748.tif 000003
【図２】
2014045748.tif 000004
【図３】
2014045748.tif 000005